(57)【要約】      （修正有）【課題】太陽光の集光効率を向上させた太陽光発電屋根を提供する。【解決手段】屋根構造体は、第１屋根面２Ａと第２屋根面２Ｂとを断面が三角形状となるように組み合わせて構成され、第１屋根面２Ａの上方に第１屋根面２Ｂに沿って第１太陽光パネル架台３Ａを配置し、第２屋根面２Ｂの上方に第１屋根面２Ａに沿って第２太陽光パネル架台３Ｂを配置する。太陽光パネル架台３Ａ、３Ｂは、太陽光パネルを収納支持しており、第１屋根面２Ａと第２屋根面２Ｂとが接する棟の上方に長手方向に固定して設けたヒンジ４を支点に回動可能となっている。そして、架台駆動制御部の制御により、一方の太陽光パネル架台の面が他方の太陽光パネル架台の面と同一平面で連通するよう回動させる。【選択図】図３
2014047528.tif 000002
【特許請求の範囲】
【請求項１】
第１屋根面と第２屋根面とを断面が三角形状となるように組み合わせて建築物の上部を覆う屋根構造体と、
前記第１屋根面の上方に前記第１屋根面に沿って設けられる太陽光パネルを支持するための第１太陽光パネル架台と、
前記第２屋根面の上方に前記第２屋根面に沿って設けられる太陽光パネルを支持するための第２太陽光パネル架台と、
前記第１屋根面と前記第２屋根面とが接する棟の上方に長手方向に固定して設けられて前記第１太陽光パネル架台と前記第２太陽光パネル架台とを回動可能に連結するヒンジと、
前記第１太陽光パネル架台の面が、前記第２屋根面に沿った状態にある前記第２太陽光パネル架台の面と同一平面で連通する状態にまで前記ヒンジを支点として前記第１太陽光パネル架台を持ち上げる第１駆動装置と、
前記第２太陽光パネル架台の面が、前記第１屋根面に沿った状態にある前記第１太陽光パネル架台の面と同一平面で連通する状態にまで前記ヒンジを支点として前記第２太陽光パネル架台を持ち上げる第２駆動装置と、
前記建築物が位置する場所での日の出時刻、南中時刻及び日没時刻に関するカレンダー情報を記憶しているメモリと、
現在日時と前記カレンダー情報とを照合して、当日の日の出時刻、南中時刻及び日没時刻に当該時刻を示す制御信号を出力する制御信号出力部と、
前記制御信号と前記第１屋根面及び前記第２の屋根面が面する方角に基づいて、前記第１駆動装置による前記第１太陽光パネル架台の持ち上げ又は下降と前記第２駆動装置による前記第２太陽光パネル架台の持ち上げ又は下降を制御する架台駆動制御部と、
を備えた太陽光発電屋根。
【請求項２】
前記屋根構造体は、前記第１屋根面と前記第２屋根面とで切妻構造を形成していることを特徴とする請求項１に記載の太陽光発電屋根。
【請求項３】
前記屋根構造体は、前記第１屋根面と前記第２屋根面とで平側の一対の屋根を構成した寄棟構造であることを特徴とする請求項１に記載の太陽光発電屋根。
【請求項４】
前記メモリは、前記建築物が位置する場所の経度及び緯度での日の出時刻、南中時刻及び日没時刻に関するカレンダー情報を記憶していることを特徴とする請求項１に記載の太陽光発電屋根。
【請求項５】
前記カレンダー情報は、四季の単位、月単位、週単位又は日単位での日の出時刻、南中時刻及び日没時刻に関するテーブルであることを特徴とする請求項１に記載の太陽光発電屋根。
【請求項６】
風速センサーを備えて、前記架台駆動制御部は、前記風速センサーにより所定値以上の風速を検知したとき、前記第１太陽光パネル架台又は前記第２太陽光パネル架台の持ち上げ動作を中止するよう前記第１駆動装置又は前記第２駆動装置を制御し、持ち上げ状態にあるときは前記第１太陽光パネル架台又は前記第２太陽光パネル架台を下降させるよう前記第１駆動装置又は前記第２駆動装置を制御することを特徴とする請求項１に記載の太陽光発電屋根。
【請求項７】
日射強度検出手段を備えて、前記架台駆動制御部は、日射強度が所定値以下のとき、前記第１太陽光パネル架台又は前記第２太陽光パネル架台の持ち上げ動作を中止するよう前記第１駆動装置又は前記第２駆動装置を制御し、持ち上げ状態にあるときは前記第１太陽光パネル架台又は前記第２太陽光パネル架台を下降させるよう前記第１駆動装置又は前記第２駆動装置を制御することを特徴とする請求項１に記載の太陽光発電屋根。
【発明の詳細な説明】
【技術分野】
【０００１】
本発明は、建築物の上部を覆う太陽光パネルを備えた屋根に関するものであり、特に、太陽光の集光効率を向上させた太陽光発電屋根に関する。
【背景技術】
【０００２】
太陽光パネルは、太陽光を十分に受けることができてパネルの重量に耐えることができる場所であれば、屋根や壁など建築物の様々な場所に設置が可能である。そのため、限られた地域や個人で利用するために、建築物への太陽光パネルの設置が普及してきている。
【０００３】
一般に、太陽光パネルは、他の発電設備と比べて設置面積当たりの発電量が低く、発電総量を増やそうとすれば設置規模を大きくする必要がある。しかしながら、地上での設置であれば設置面積を大きくすれば良いのであるが、建築物の上に太陽光パネルを設置する場合には、建築物の大きさや日当たりの面から制限されるため、有効な発電量を確保することが難しい。
【０００４】
そのため、ヒンジを介して連結した２枚のソーラーモジュール板を両側に傾斜するよう三角形状の構造で屋根上に設置し、日中においては、太陽光の方角に応じてソーラーモジュール板をそれぞれ別々にまたは一緒にヒンジを中心として両側左右方向に回動させて、２枚のソーラーモジュール板の受光面を水平に連通させた状態にして太陽光を追尾する装置が知られている（例えば、特許文献１を参照）。
【先行技術文献】
【特許文献】
【０００５】
【特許文献１】特開２０１０−２８３３２３号公報
【発明の概要】
【発明が解決しようとする課題】
【０００６】
特許文献１による従来技術においては、ヒンジを介して連結した２枚のソーラーモジュール板から成る三角構造体を屋根上に多数設置して、各三角構造体は、太陽光追跡制御部の制御により、それぞれの２枚のソーラーモジュール板の受光面を水平に連通させた状態で適宜回動させることで太陽光を垂直に集光するような構成となっている。そのため、太陽光が斜めから差し込む時間帯においては、太陽光の照射方向に対して前方に位置する三角構造体の太陽光パネルが後方の三角構造体の太陽光パネルへの射光を遮ることになり効率的な発電が期待できない。しかも、刻々と変化する太陽光角度に応じて、ソーラーモジュール板を回動させるために駆動機構が複雑となる欠点がある。
【０００７】
本発明は、上記した従来技術の課題に鑑みてなされたものであり、簡単な構造により太陽光パネルを動かして効率的に太陽光を集光することができる太陽光発電屋根を提供することを目的としている。
【課題を解決するための手段】
【０００８】
このため、本発明による太陽光発電屋根は、第１屋根面と第２屋根面とを断面が三角形状となるように組み合わせて建築物の上部を覆う屋根構造体と、前記第１屋根面の上方に前記第１屋根面に沿って設けられる太陽光パネルを支持するための第１太陽光パネル架台と、前記第２屋根面の上方に前記第２屋根面に沿って設けられる太陽光パネルを支持するための第２太陽光パネル架台と、前記第１屋根面と前記第２屋根面とが接する棟の上方に長手方向に固定して設けられて前記第１太陽光パネル架台と前記第２太陽光パネル架台とを回動可能に連結するヒンジと、前記第１太陽光パネル架台の面が、前記第２屋根面に沿った状態にある前記第２太陽光パネル架台の面と同一平面で連通する状態にまで前記ヒンジを支点として前記第１太陽光パネル架台を持ち上げる第１駆動装置と、前記第２太陽光パネル架台の面が、前記第１屋根面に沿った状態にある前記第１太陽光パネル架台の面と同一平面で連通する状態にまで前記ヒンジを支点として前記第２太陽光パネル架台を持ち上げる第２駆動装置と、前記建築物が位置する場所での日の出時刻、南中時刻及び日没時刻に関するカレンダー情報を記憶しているメモリと、現在日時と前記カレンダー情報とを照合して、当日の日の出時刻、南中時刻及び日没時刻に当該時刻を示す制御信号を出力する制御信号出力部と、前記制御信号と前記第１屋根面及び前記第２の屋根面が面する方角に基づいて、前記第１駆動装置による前記第１太陽光パネル架台の持ち上げ又は下降と前記第２駆動装置による前記第２太陽光パネル架台の持ち上げ又は下降を制御する架台駆動制御部と、を備えたことを特徴としている。
【０００９】
前記屋根構造体は、前記第１屋根面と前記第２屋根面とで切妻構造、又は
前記第１屋根面と前記第２屋根面とで平側の一対の屋根を構成した寄棟構造であることを特徴としている。
【００１０】
そして、前記メモリは、前記建築物が位置する場所の経度及び緯度での日の出時刻、南中時刻及び日没時刻に関するカレンダー情報を記憶していることを特徴としている。
【００１１】
また、前記カレンダー情報は、四季の単位、月単位、週単位又は日単位での日の出時刻、南中時刻及び日没時刻に関するテーブルであることを特徴としている。
【００１２】
さらに、風速センサーを備えて、前記架台駆動制御部は、前記風速センサーにより所定値以上の風速を検知したとき、前記第１太陽光パネル架台又は前記第２太陽光パネル架台の持ち上げ動作を中止するよう前記第１駆動装置又は前記第２駆動装置を制御し、持ち上げ状態にあるときは前記第１太陽光パネル架台又は前記第２太陽光パネル架台を下降させるよう前記第１駆動装置又は前記第２駆動装置を制御することを特徴としている。
【００１３】
また、日射強度検出手段を備えて、前記架台駆動制御部は、日射強度が所定値以下のとき、前記第１太陽光パネル架台又は前記第２太陽光パネル架台の持ち上げ動作を中止するよう前記第１駆動装置又は前記第２駆動装置を制御し、持ち上げ状態にあるときは前記第１太陽光パネル架台又は前記第２太陽光パネル架台を下降させるよう前記第１駆動装置又は前記第２駆動装置を制御することを特徴としている。
【発明の効果】
【００１４】
本発明に係る太陽光発電屋根によれば、断面が三角形状となるよう２通りの屋根面を組み合わせて成る屋根構造体によって建築物の上部を覆い、それぞれの屋根面に沿って架台を設け、この架台によって太陽光パネルを収納支持するために多量の太陽パネルを屋根の上に敷き詰めて配置することができ、太陽光パネルどうしが一方の集光を遮蔽することがなく効率的な集光が実現される。
【００１５】
また、各屋根面に沿って配置される２通りの架台は、屋根構造体の棟に沿って設けるヒンジによって回動可能なため、太陽光の方角に応じて一方の架台を回動させてその面を他方の架台の面と同一平面で連通させることにより、太陽光パネルは２倍の面積で太陽光を集光して発電することができる。
【００１６】
しかも、屋根面が面する方角及び年間を通じて当日の日の出時刻、南中時刻及び日没時刻に応じて架台を回動させるために、太陽光パネルを２倍の面積で太陽光を集光することが可能となり、複雑な構成の太陽光追尾機構を設けずとも効果的な太陽光発電を行うことができる。
【図面の簡単な説明】
【００１７】
【図１】本発明に係わる太陽光発電屋根を備えた切妻造の建築物の外観を斜視図によって概略的に説明する図である。
【図２】本発明に係わる太陽光発電屋根を備えた寄棟造の建築物の外観を斜視図によって概略的に説明する図である。
【図３】本発明に係わる太陽光発電屋根の動作を説明する図である。
【図４】本発明に係わる太陽光発電屋根の制御構成を説明する図である。
【図５】太陽の移動を説明する図である。
【発明を実施するための形態】
【００１８】
以下、図示する好適な実施の形態に基づいて本発明を詳述する。図１は本発明に係わる太陽光発電屋根を備えた建築物の概略的な構成を示している。屋根構造体２は建築物１の上部を覆うための第１屋根面２Ａと第２屋根面２Ｂとを有し、第１屋根面２Ａと第２屋根面２Ｂは、それぞれ頂上部の棟から地上に向かってそれぞれ両側に傾斜して断面が三角形状となるように組み合わせられている。図１は、第１屋根面２Ａと第２屋根面２Ｂの二面だけで構成される切妻造の屋根構造体である。
【００１９】
第１屋根面２Ａと第２屋根面のそれぞれの上方には、第１太陽光パネル架台３Ａが第１屋根面２Ａの表面に沿って配設されて、第２太陽光パネル架台３Ｂが第２屋根面２Ｂの表面に沿って配設されている。そして、第１太陽光パネル架台３Ａと第２太陽光パネル架台３Ｂは、棟の上方に長手方向に固定して配置されるヒンジ４によって一辺で連結されており、ヒンジ４を支点に回動自在に構成されている。
【００２０】
各太陽光パネル架台３Ａ、３Ｂには、多数の太陽電池をパネル状に並べて相互接続して成る太陽光パネル６が収納配置される。一般的な大きさの屋根の片面に太陽電池を敷き詰めると、太陽光パネル６の重量は８００ｋｇ乃至１ｔ程となる。そのため、太陽光パネル架台３Ａ、３Ｂは、太陽光パネル６を保持しながら回動するためにそれに応じた強度を有するものでなくてはならず、また回動させるときに加える駆動力もできるだけ小さくてすむように軽量化されたものが好ましく、例えば、ジュラルミンなどのアルミニウム合金による金属素材によるフレームに軽い木材板を張り付けて構成している。
【００２１】
屋根構造が妻側の一対の三角形の屋根と平側の一対の台形の屋根から成るような図２に示す寄棟造である場合は、台形の屋根をそれぞれ第１屋根面２Ａと第２屋根面２Ｂとして、第１太陽光パネル架台３Ａ及び第２太陽光パネル架台３Ｂがそれぞれ配設される。なお、第１太陽光パネル架台３Ａ及び第２太陽光パネル架台３Ｂの平面形状は、太陽光パネル６を効率的に搭載するには屋根面の平面形状に合わせて台形にするとよい。
【００２２】
図３は、第１太陽光パネル架台３Ａ及び第２太陽光パネル架台３Ｂの動作を説明するもので、通常、第１太陽光パネル架台３Ａ及び第２太陽光パネル架台３Ｂは、それぞれ第１屋根面２Ａ及び第２屋根面２Ｂと互いの面が対向している閉止した状態（実線で示す状態）にある。
【００２３】
駆動装置５Ａは、第１太陽光パネル架台３Ａを付勢して持ち上げ動作と下降動作を行い、駆動装置５Ｂは、第２太陽光パネル架台３Ｂを付勢して持ち上げ動作と下降動作を行う。これら駆動装置５Ａ、５Ｂは、例えば油圧ジャッキで構成しており、詳細には図示しないが、モータ駆動によるラック・アンド・ピニオン機構の往復動作によって作動レバーが付勢されると、油圧ジャッキの作動部が上下動して持ち上げ動作又は下降動作を行う。
【００２４】
駆動装置５Ａは、第１太陽光パネル架台３Ａを閉止状態にある第２太陽光パネル架台３Ｂの面と同一平面で連通する状態（点線Ａの状態）にまで持ち上げる。そして、駆動装置５Ｂは、第２太陽光パネル架台３Ｂを閉止状態にある第１太陽光パネル架台３Ａの面と同一平面で連通する状態（点線Ｂの状態）にまで持ち上げる。このとき、駆動装置５Ａ、５Ｂの小型化を図るために太陽光パネル架台３Ａ、３Ｂを持ち上げる高さを最小にするには、太陽光パネル架台の傾斜角度を１５度乃至２０度の範囲の角度αに設定するのが好ましい。この場合は、第１屋根面２Ａ及び第２屋根面２Ｂの傾斜角度もこれに合わせて角度αに設定される。
【００２５】
また、太陽光パネル架台３Ａ、３Ｂの傾斜角度を１５度乃至２０度の範囲に設定すると、太陽光パネル架台３Ａ、３Ｂを同一平面で連通させたとき、南中時刻の前後の時間帯では、太陽光パネル６は太陽光を垂直に近い状態で集光するために発電効率の面からも好ましい。
【００２６】
図４は、太陽光発電屋根のコントローラ部１０の構成をブロック図にて示し、コントローラ部１０は、現在日時を計時するタイマー１１、メモリ１２、制御信号出力部１３、架台駆動制御部１４及び入力装置１５を含んで構成される。
【００２７】
メモリ１２は、図５に示すように、建築物１が位置する場所での日の出時刻、太陽が真南に上がる南中時刻及び日没時刻に関するカレンダー情報を記憶している。カレンダー情報は、日の出時刻、南中時刻及び日没時刻を示すテーブルである。このテーブルは、年間の週単位毎に当該週の日の出時刻、南中時刻及び日没時刻を示しているが、詳細な日単位、又は大まかに月単位や３ヶ月ごとの季節の単位としても良い。３か月ごとの単位とする場合は、夏至、秋分、冬至及び春分の日のある月をそれぞれ真中の月にして区切るとよい。
【００２８】
このようなカレンダー情報は、入力装置１５から送られてメモリ１２に記憶されるが、建築物１の所在地での日の出時刻、南中時刻及び日没時刻を示すカレンダー情報を提供するウェブサイトが実用に供されており、これを利用することができる。この場合、入力装置１５に経度及び緯度を入力すると、入力装置１５は、カレンダー情報を提供するウェブサイトの中央サーバー１６にアクセスしカレンダー情報を入手してメモリ１２に格納する。
【００２９】
また、入力装置１５にＧＰＳ受信機を設けることで、入力装置１５は、ＧＰＳ電波を受信すると建築物１が位置する経度及び緯度を算出し、算出した経度及び緯度の情報を中央サーバー１６に送信することで、この位置に関するカレンダー情報を入手してメモリ１２に格納することができる。さらに、入力装置１５が経度及び緯度に基づいてカレンダー情報を計算する機能を有していてもよい。
【００３０】
さらに、メモリ１２が記憶するカレンダー情報は、建築物１のその位置での経度及び緯度に基づくものでなくても、建築物１が所在している都道府県や都市毎の代表的な日の出時刻、南中時刻及び日没時刻を示すものであってもよい。この場合、入力装置１５に建築物１が位置する都道府県名を入力するか、或いは予め入力装置１５に設定されている都市名又はその場所に最も近い都市名を選択することにより、入力装置１５は、中央サーバー１６から該当するカレンダー情報を入手、または自ら計算してメモリ１２に格納する。
【００３１】
このように入力装置１５は、太陽光発電屋根を設置したとき建築物の位置に応じたカレンダー情報を収集してメモリ１２に格納させるのに用いるために、カレンダー情報の設定時にのみ接続する構成であってもよい。
【００３２】
制御信号出力部１３は、タイマー１１からの現在日時情報とメモリ１２が記憶しているカレンダー情報とを照合して、当日の日の出時刻、南中時刻及び日没時刻が到来する毎に当該時刻を示す制御信号ａ、ｂ、ｃを出力する。
【００３３】
架台駆動制御部１４には、入力装置１５から第１屋根面２Ａ及び第２屋根面２Ｂが面する方角情報が入力されて記憶している。そして、制御信号出力部１３から日の出時刻、南中時刻及び日没時刻を示す制御信号が入力すると、各信号に応じて第１屋根面２Ａ及び第２屋根面２Ｂが面する方角に基づいて駆動装置５Ａ及び駆動装置５Ｂの動作を制御する。
【００３４】
上記構成による太陽光発電屋根の動作について図３及び図５によって説明する。図３及び図５は、第１屋根面２Ａが東向きで第２屋根面２Ｂが西向きの建築物を示しており、コントローラ部１０のメモリ１２には、予め入力装置１５によってこの建築物の位置での日の出時刻と南中時刻と日没時刻とを示す週単位でのカレンダー情報が格納されている。
【００３５】
制御信号出力部１３は、タイマー１１での現在日時をメモリ１２のカレンダー情報と照合して、現在時刻が当日の日の出時刻となったことを検出すると制御信号ａを出力する。
【００３６】
架台駆動制御部１４は、制御信号ａが入力すると、太陽光パネル架台３Ａを開放状態Ａの位置まで持ち上げるよう駆動装置５Ａを動作させる。これにより、太陽光パネル架台３Ａと太陽光パネル架台３Ｂとは、図５で示すように日ノ出時刻から南中時刻までの間は東向きに同一平面で連通することになり、太陽光パネル６は２倍の面積で東からの太陽光を集光して発電することができる。
【００３７】
そして、制御信号出力部１３は、現在日時とカレンダー情報との照合により現在時刻が当日の南中時刻となったことを検出すると、制御信号ｂを出力する。
【００３８】
制御信号ｂの出力により架台駆動制御部１４は、太陽光パネル架台３Ａを再び閉止状態の位置まで下降するよう駆動装置５Ａを動作させる。同時に、太陽光パネル架台３Ｂを開放状態Ｂの位置まで持ち上げるよう駆動装置５Ｂを動作させる。これにより、太陽光パネル架台３Ｂと太陽光パネル架台３Ａとは西向きに同一平面で連通することになり、太陽光パネルは、日ノ出時刻から南中時刻までの間と同様に、南中時刻から日没時刻までの間においても２倍の面積で西からの太陽光を集光して発電することができる。但し、南中時刻を含めた前後の時間帯においては、太陽光はほぼ南向き南中高度Ｓ（図５を参照）の近辺に位置するために、連通させた太陽光パネル架台３Ａと太陽光パネル架台３Ｂとが東向き又は西向きに関わらず発電量は変わらない。
【００３９】
そして、制御信号出力部１３は、現在日時とカレンダー情報との照合により現在時刻が当日の日没時刻となったことを検出すると、制御信号ｃを出力する。制御信号ｃの出力により架台駆動制御部１４は、太陽光パネル架台３Ｂを再び閉止状態の位置まで下降するよう駆動装置５Ｂを動作させることで、太陽光パネル架台３Ａと太陽光パネル架台３Ｂとは、それぞれ第１屋根面２Ａ及び第２屋根面２Ｂの表面に沿って位置する閉止状態となる。
【００４０】
一方、建築物１の第１屋根面２Ａが南向きで第２屋根面２Ｂが北向きの場合には、架台駆動制御部１４は、年間を通じて制御信号ａの入力により太陽光パネル架台３Ｂを開放状態Ｂの位置まで持ち上げて、制御信号ｃの入力により太陽光パネル架台３Ｂを閉止状態に下降させる。
【００４１】
太陽光パネル架台３Ａ、３Ｂが持ち上げられたとき、屋根面２Ａ、２Ｂとの間に隙間を生じるために、太陽光パネル架台３Ａ、３Ｂが強風に煽られて飛ばされたり破損したりする虞がある。これを防止するために、太陽光パネル架台３Ａ、３Ｂと屋根面２Ａ、２Ｂとの間で両者の開放する側の端面どうしを帆布又は蛇腹式のビニールシートによって覆うとよい。これ以外にも、太陽光パネル架台３Ａ、３Ｂと屋根面２Ａ、２Ｂとの間に伸縮自在な構造を有する支持棒を設けて、両端を太陽光パネル架台３Ａ、３Ｂと屋根面２Ａ、２Ｂとにそれぞれ連結するように構成してもよい。
【００４２】
さらに、強風への対策については、図示しない風速センサーを設けて、架台駆動制御部１４は、風速センサーにより所定値以上の風速を検知したとき、太陽光パネル架台３Ａ又は太陽光パネル架台３Ｂの持ち上げ動作を中止するよう駆動装置５Ａ又は駆動装置５Ｂを制御し、また、太陽光パネル架台３Ａ又は太陽光パネル架台３Ｂが既に持ち上げ状態にあるときは下降させるように制御することで強風からの破損を未然に防止することができる。
【００４３】
また、日射強度検出手段を設けて、曇天や雨天の日で発電に必要な十分な日射強度が得られないと判断したとき、架台駆動制御部１４は、太陽光パネル架台３Ａ又は太陽光パネル架台３Ｂの持ち上げ動作を中止するよう駆動装置５Ａ又は駆動装置５Ｂを制御し、また、太陽光パネル架台３Ａ又は太陽光パネル架台３Ｂが持ち上げ状態にあるときは下降させるよう構成してもよい。日射強度検出手段には通常の照度センサーが用いられるが、太陽光パネル６の設置時に備え付けられる発電量を示すモニターにても代用可能である。発電量モニターで代用する場合は、発電量を示すデータが所定レベル以下であるとき、架台駆動制御部１４は、太陽光パネル架台３Ａ又は太陽光パネル架台３Ｂの持ち上げを中止し、また持ち上げ状態にある場合は下降するよう構成する。
【００４４】
このように、本発明に係る太陽光発電屋根は、屋根面２Ａ、２Ｂに沿って太陽光パネル６を支持する太陽光パネル架台３Ａ、３Ｂを設けて、日の出時刻・南中時刻・日没時刻に応じて、太陽光パネル３Ａ、３Ｂを持ち上げ又は下降させることで、太陽光パネル６を効率良く太陽に向けさせようとするものである。従って、屋根面２Ａ、２Ｂによる屋根構造が切妻造で、且つ屋根面２Ａの一方が東向きで他方が西向きの場合で最大限の発電効果が得られるが、これに限定されるものでなく、本発明の趣旨に基づき種々の変形が可能であり、これらを本発明の範囲から排除するものではない。
【産業上の利用可能性】
【００４５】
本発明は、太陽光パネルを備えた太陽光発電屋根であって、効率的な発電を可能としており産業上の利用可能性を有する。
【符号の説明】
【００４６】
１      建築物
２      屋根構造体
２Ａ    第１屋根面
２Ｂ    第２屋根面
３Ａ    第１太陽光パネル架台
３Ｂ    第２太陽光パネル架台
４      ヒンジ
５Ａ    第１駆動装置
５Ｂ    第２駆動装置
６      太陽光パネル
１２    メモリ
１３    制御信号出力部
１４    架台駆動制御部
【図１】
2014047528.tif 000003
【図２】
2014047528.tif 000004
【図３】
2014047528.tif 000005
【図４】
2014047528.tif 000006
【図５】
2014047528.tif 000007